Podtech/llm-jp-corpus-v4-ja_patent huggingface dataset:
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
患者の体内での最小侵襲外科処置のためのシステムにおいて、
それぞれが細長い本体を含むいくつかのアンカー延長部であって、前記本体は遠位端および近位端の間に延在し、患者の骨構造に係合される少なくとも１つのアンカーに対して前記遠位端が装着されるときに、前記近位端が前記患者の外側に配置されるような長さを前記本体が有する、いくつかのアンカー延長部と、
第１および第２支持腕部を含む取付器具であって、前記第１および第２支持腕部のそれぞれが外部の係合端部を含み、前記第１および第２支持腕部のそれぞれが、前記係合端部から共通の接合部まで延在し、前記取付器具は挿入具腕部をさらに含み、前記挿入具腕部は、前記接合部から前記第１および第２支持腕部に対して横向きに延在し、前記第１および第２支持腕部の少なくとも１つが、前記接合部に対して枢動結合され、且つ前記支持腕部の前記係合端部の間の空間を可動的に調整して、前記近位端に隣接する前記いくつかのアンカー延長部の両側と係合する、取付器具と、
前記患者の身体内に植え込むための接続要素であって、前記挿入具腕部に係合される、接続要素と、を備えるシステム。
【請求項２】
前記いくつかのアンカー延長部が２つのアンカー延長部を含み、前記アンカー延長部のそれぞれが、その前記遠位端に対して解放可能に係合されるアンカーを含む、請求項１に記載のシステム。
【請求項３】
前記いくつかのアンカー延長部が３つのアンカー延長部を含み、前記アンカー延長部のそれぞれが、その前記遠位端に対して解放可能に係合されるアンカーを含む、請求項１に記載のシステム。
【請求項４】
前記第１および第２支持腕部の前記係合端部のそれぞれが、前記いくつかのアンカー延長部に対して回転可能に係合される、請求項１に記載のシステム。
【請求項５】
前記支持腕部の間に係合されるクランプ機構をさらに備え、前記クランプ機構が、前記第１支持腕部に結合された第１端部と前記第２支持腕部に結合された第２端部との間に延在するクランプ腕部を含み、前記第１端部が当該第１端部に結合されるレバーを含み、前記レバーは、前記係合端部の間で前記いくつかのアンカー延長部を受ける開放位置から、前記係合端部の間に前記アンカー延長部をクランプ留めする閉鎖位置まで可動であり、前記閉鎖位置を維持するために、前記クランプ腕部が前記レバーを付勢する、請求項１に記載のシステム。
【請求項６】
前記第２支持腕部が前記接合部に枢動結合され、前記第１支持腕部が前記接合部に対して固定され、前記クランプ腕部の前記第２端部が前記第２支持腕部に対して回転可能に装着される車輪に枢動結合される、請求項５に記載のシステム。
【請求項７】
前記クランプ腕部の第２端が、前記車輪の回転の中心から半径方向にずれた位置で前記車輪に枢動結合される、請求項６に記載のシステム。
【請求項８】
前記支持腕部の前記係合端部のそれぞれが、前記支持腕部の間に係合部材を含み、前記係合部材のそれぞれが前記支持腕部のそれぞれに対して枢動的に装着される、請求項１に記載のシステム。
【請求項９】
前記挿入具腕部および前記接続要素が湾曲した挿入軸に沿って延在し、前記湾曲した挿入軸は、前記支持腕部と前記いくつかのアンカー延長部との接続部に画定される回転中心を有する、請求項１に記載のシステム。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
ハウジングおよび区画を有するパルス発生器であって、該区画は、該ハウジングの壁の外面に配置され、そして後壁によって境界とされる隔離された密閉された空洞を形成している、パルス発生器と、
内面を有する隔離された空洞の上に配置され、かつ空洞を取り囲む、約２０ｋＨｚよりも高い共振周波数を有する区画ダイヤフラムと、
区画ダイヤフラムの内面に配置される、約１０Ｈｚ〜約２０ｋＨｚの周波数を有する胸音を感知し、かつ信号を発生させるように構成される、センサダイヤフラムを有する音響センサと、
ハウジング内に配置され、音響センサに動作可能に連結され、かつ信号を受信するように構成される、パルス発生器内に配置される制御回路と
を含む埋め込み型医療装置（ＩＭＤ）。
【請求項２】
音響センサの音響範囲は約１００から約５０００Ｈｚである請求項１に記載のＩＭＤ。
【請求項３】
制御回路に動作可能に連結された加速度計を更に含む請求項２に記載のＩＭＤ。
【請求項４】
音響センサは、音響センサによって検出された信号を増幅するための増幅器を含む請求項２に記載のＩＭＤ。
【請求項５】
音響センサは、ピエゾ抵抗センサ又は容量センサである請求項１に記載のＩＭＤ。
【請求項６】
音響センサは、ＭＥＭＳマイクロホンである請求項１に記載のＩＭＤ。
【請求項７】
音響センサのセンサダイヤフラムは、圧電材料から作られる請求項１に記載のＩＭＤ。
【請求項８】
圧電材料は、圧電セラミック材料を含む請求項７に記載のＩＭＤ。
【請求項９】
前記センサは、区画ダイヤフラムと後壁との間に配置され、センサダイヤフラムと空洞の内面との間に空間が維持され、該空間は、媒体で充満され、該媒体は、ＩＭＤが移植される身体位置の音響インピーダンスと一般的に整合する音響インピーダンスを有する請求項１に記載のＩＭＤ。
【請求項１０】
前記媒体は、ＩＭＤが移植される身体位置の第２の音響インピーダンスと一般的に整合する音響インピーダンスを有するゲルである請求項９に記載のＩＭＤ。
【請求項１１】
パルス発生器は、ハウジングとヘッダとを含み、区画は、ハウジング外壁から外側に延び、かつ後壁は、ハウジング外壁によって形成される請求項１に記載のＩＭＤ。
【請求項１２】
パルス発生器は、ハウジングとヘッダとを含み、音響センサと、コントローラとの間の電気接続は、密閉貫通接続を含む請求項１に記載のＩＭＤ。
【請求項１３】
区画ダイヤフラムが、パルス発生器のハウジングの反対側の、区画の面に位置する、請求項１に記載のＩＭＤ。
【請求項１４】
区画ダイヤフラムが、該区画ダイヤフラムが配置されるハウジングの壁より小さい厚さを有する請求項１に記載のＩＭＤ。
【請求項１５】
区画ダイヤフラムは、約０．００２インチから約０．０１０インチの間の厚さを有する請求項１４に記載のＩＭＤ。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
内部に駆動ユニットを受容するハウジングを有する電動歯ブラシのハンドピースにおいて、前記ハウジング（２）は、前方又は後方ハウジング開口（５）を有し、いずれの開口（５）も、好ましくは防湿及び防水式でカバー（６）により密閉されるように適合されており、摩擦又は／及び積極的な係合固定要素（１２，１５）、特に、スナップ作用の戻り止め要素がハウジング及び／又はカバー（６）に備えられ、ハウジング（２）にカバー（６）が固定される、前記ハンドピースであって、
前記ハウジングの長軸に対して上昇する少なくとも一つの抜き勾配テーパ部又は抜き勾配湾曲部（１９）が前記ハウジング（２）及び／又はカバー（６）に備えられ、これにより、前記カバー（６）は、前記カバーを前記ハウジングの長軸（１８）の周りに捩ることにより、前記ハウジング（２）から軸方向で離脱状態になり、前記固定要素（１２，１５）が解除可能になることを特徴とする、前記ハンドピース。
【請求項２】
前記抜き勾配テーパ部又は抜き勾配湾曲部（１９）は、前記ハウジング開口（５）を取り囲むハウジングエッジ（１１）によりハウジング（２）上に、かつ、カバー設置面（１０）、特に前記ハウジングエッジ（１１）に載置されるカバー周縁ショルダー部によりカバー（６）上に形成される、請求項１に記載のハンドピース。
【請求項３】
前記抜き勾配テーパ部又は抜き勾配湾曲部（１９）は、同時に、前記カバー（６）と前記ハウジング（２）との間に密閉面を形成する、請求項１または２に記載のハンドピース。
【請求項４】
前記ハウジング開口（５）を取り囲むハウジングエッジ（１１）は、前記ハウジング長軸（１８）に対して傾斜された湾曲領域または平面で延びている、請求項１〜３のいずれか一項に記載のハンドピース。
【請求項５】
前記ハウジングエッジ（１１）により画成された平面は、約６５°から８５°、好ましくは約７５°から８０°の角度で、前記ハウジングの長軸（１８）に対して傾斜している、請求項１〜４のいずれか一項に記載のハンドピース。
【請求項６】
前記ハウジング（２）は、一つのハウジング開口（５）を有し、その開口（５）を通って前記駆動ユニットが前記ハウジング（２）内に挿入可能であり、更に／又は、前記カバー（６）が一つのハウジングカバーとなっている、請求項１〜５のいずれか一項に記載のハンドピース。
【請求項７】
前記ハウジング（２）は、前記ハウジング開口（５）に向かって僅かに円錐形状で全体に広がっている、請求項１〜６のいずれか一項に記載のハンドピース。
【請求項８】
前記カバー（６）は、駆動連鎖用スルーホールを有し、そのスルーホールを通って前記駆動ユニットがブラシヘッドに連結可能である、請求項１〜７のいずれか一項に記載のハンドピース。
【請求項９】
前記カバー（６）は、付属ブラシを結合する為に結合部材（７）、特に、プラグイン結合部材を含む、請求項１〜８のいずれか一項に記載のハンドピース。
【請求項１０】
前記スナップ作用の戻り止め要素（１２，１５）は、スナップ嵌め込み状態で、前記ハウジング開口（５）を取り囲むハウジングエッジ（１１）上に前記カバーを圧入で保持する、請求項１〜９のいずれか一項に記載のハンドピース。
【請求項１１】
前記ハウジング（２）は、少なくとも２つのプラスチック、特に、軟質プラスチック及び硬質プラスチックの部品から射出成型される、請求項１〜１０のいずれか一項に記載のハンドピース。
【請求項１２】
前記ハウジング開口（５）を取り囲むハウジングエッジ（１１）は、軟質プラスチックから形成されている、請求項１〜１１のいずれか一項に記載のハンドピース。
【請求項１３】
前記戻り止め要素（１２，１５）は、単なる軸方向運動によりスナップ嵌め込みで係合させる、請求項１〜１２のいずれか一項に記載のハンドピース。
【請求項１４】
前記戻り止め要素を形成する戻り止め突起（１２）及び／又は前記ハウジング（２）の内壁は、前記ハウジング開口（５）を取り囲む前記ハウジングエッジ（１１）上に入口面取り部（２０）を有する、請求項１〜１３のいずれか一項に記載のハンドピース。
【請求項１５】
戻り止め要素を形成するアンダーカット又は戻り止め突起（１２）及び戻り止め凹部（１５）は、戻り止めエッジ（１６，１７）を保有し、これらは、前記ハウジング（２）及び／又は前記カバー（６）の前記長軸（１８）の周りで、ほぼ螺旋又は湾曲状に延びている、請求項１〜１４のいずれか一項に記載のハンドピース。
【請求項１６】
前記カバー（６）は、前記カバー（６）の前記ハウジング（２）への挿入に適し、前記ハウジング（２）の内壁に係合するように適合されたツバ部（８）を有する、請求項１〜１５のいずれか一項に記載のハンドピース。
【請求項１７】
前記ツバ部（８）及び／又は前記ハウジング（２）の隣接した内壁部に、少なくとも一つの抜き勾配テーパ部又は抜き勾配湾曲部が備えられ、前記抜き勾配テーパ部又は抜き勾配湾曲部は、前記ハウジングの長軸の周りに好ましくは螺旋状に広がる、請求項１〜１６のいずれか一項に記載のハンドピース。
【請求項１８】
前記カバーの前記戻り止め要素（１２）は、前記ツバ部（８）上に備えられ、逆もまた同じである、請求項１〜１７のいずれか一項に記載のハンドピース。
【請求項１９】
前記カバー及び前記ハウジングの間の前記戻り止め要素に、少なくとも一つの抜き勾配テーパ部又は抜き勾配湾曲部が備えられ、前記抜き勾配テーパ部又は抜き勾配湾曲部は、前記戻り止め要素を形成する戻り止め凹部及び戻り止め突起の底部エッジにより特に形成され、これらのエッジは、前記ハウジング開口又は前記カバーエッジから離れて対面する、請求項１〜１７のいずれか一項に記載のハンドピース。
【請求項２０】
前記戻り止め要素は、好ましくは、ギザギザ状ネジ山部を有する、請求項１〜１９のいずれか一項に記載のハンドピース。
【請求項２１】
請求項１〜２０に従うハンドピースを備えた電動歯ブラシ。
【手続補正書】
【提出日】平成21年8月10日(2009.8.10)
【手続補正１】
【補正対象書類名】特許請求の範囲
【補正対象項目名】請求項１１
【補正方法】変更
【補正の内容】
【請求項１１】
前記心臓及び呼吸の運動周期の少なくとも一方の前記現在の位相を記録することは、前記切除線又はリングにおける間隙の候補をすぐに又は後で再訪する際に、動き補償を提供する請求項１０に記載の方法。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
内側表面と、外側表面と、下腿領域と、踝領域と、中足骨領域と、爪先領域と、足裏領域とを有する使い捨てフットウェアカバーであって、カバーが、
可撓性ポリマーシートと、
下腿領域の弾性ギャザーと
中足骨領域の弾性ギャザーと、
踝領域の弾性ギャザーと、
足裏領域の表面積の少なくとも２５パーセントを覆うノンスリップコーティングと
を含んでなる使い捨てフットウェアカバー。
【請求項２】
２つの長い側部と、広い端部から狭い端部までのテーパとをそれぞれが有する２枚のポリマーシートを提供し、
２枚のシートをテーパの狭い端部で一緒に取り付け、
２枚のシートを、各々の長い側部において、部分的な距離だけ一緒に取り付けて、小開口部と、反対側の大開口部とを形成し、
第３のシートを提供し、
第３のシートを円柱形に形成し、
円柱形の第３のシートを小開口部に取り付け、
足裏シートを提供し、
足裏シートを大開口部に取り付け、
弾性ギャザーを下腿領域に取り付け、
弾性ギャザーを中足骨領域に取り付け、
弾性ギャザーを踝領域に取り付けること
を含んでなる請求項１に記載のフットウェアカバーを製造する方法。
【手続補正２】
【補正対象書類名】明細書
【補正対象項目名】００２１
【補正方法】変更
【補正の内容】
【００２１】
静摩擦係数は、２つの物体間の巨視的運動を開始するのに乗り越えなければならない最大摩擦力に対応する摩擦係数である。静摩擦係数は、ＡＳＴＭ Ｄ１８９４に従って求める。
次に、本発明の好ましい実施態様を示す。
１．  内側表面と、外側表面と、下腿領域と、踝領域と、中足骨領域と、爪先領域と、足裏領域とを有する使い捨てフットウェアカバーであって、カバーが、
可撓性ポリマーシートと、
下腿領域の弾性ギャザーと
中足骨領域の弾性ギャザーと、
踝領域の弾性ギャザーと、
足裏領域の表面積の少なくとも２５パーセントを覆うノンスリップコーティングと
を含んでなる使い捨てフットウェアカバー。
２．  可撓性ポリマーシートが、ポリオレフィンおよびポリエステルよりなる群から選択される材料を含んでなる上記１に記載の使い捨てフットウェアカバー。
３．  可撓性ポリマーシートがポリエチレンを含んでなる上記２に記載の使い捨てフットウェアカバー。
４．  可撓性ポリマーシートが不織布である上記１に記載の使い捨てフットウェアカバー。
５．  可撓性ポリマーシートが織布である上記１に記載の使い捨てフットウェアカバー。
６．  ポリマーコーティングが約１．５を超える静摩擦係数を有する上記１に記載の使い捨てフットウェアカバー。
７．  ノンスリップコーティングがポリ塩化ビニル、ポリオレフィン、ポリエステル、ゴム、ポリウレタンおよびこれらの組み合わせよりなる群から選択される材料を含んでなる上記１に記載の使い捨てフットウェアカバー。
８．  ノンスリップコーティングがポリエステルを含んでなる上記７に記載の使い捨てフットウェアカバー。
９．  ポリエステルがポリ塩化ビニルでコートされている上記８に記載の使い捨てフットウェアカバー。
１０．  可撓性シート材料が、約０．５マイクロメートルを超える平均直径を有する粒子の約８５パーセントを超える透過を遮断する上記１に記載の使い捨てフットウェアカバー。
１１．  可撓性シート材料が、約０．５マイクロメートルを超える平均直径を有する粒子の約９３パーセントを超える透過を遮断する上記１０に記載の使い捨てフットウェアカバー。
１２．  ２つの長い側部と、広い端部から狭い端部までのテーパとをそれぞれが有する２枚のポリマーシートを提供し、
２枚のシートをテーパの狭い端部で一緒に取り付け、
２枚のシートを、各々の長い側部において、部分的な距離だけ一緒に取り付けて、小開口部と、反対側の大開口部とを形成し、
第３のシートを提供し、
第３のシートを円柱形に形成し、
円柱形の第３のシートを小開口部に取り付け、
足裏シートを提供し、
足裏シートを大開口部に取り付け、
弾性ギャザーを下腿領域に取り付け、
弾性ギャザーを中足骨領域に取り付け、
弾性ギャザーを踝領域に取り付けること
を含んでなる上記１に記載のフットウェアカバーを製造する方法。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
埋め込み可能医療デバイスシステムであって、
生理的パラメータに相当する信号を検知する埋め込み可能センサと、
前記センサに結合される、前記センサ信号を受信すると共に該センサ信号に基づいて前記生理的パラメータの警告レベルを検出するプロセッサと、
前記プロセッサに結合される、該プロセッサが前記警告レベルを検出することに応答して、前記生理的パラメータに相当するデータを送信するデバイステレメトリ回路と、
前記デバイステレメトリ回路と通信するようになっている、前記送信データを受信する外部テレメトリ回路と、
前記外部テレメトリ回路に結合される、該外部テレメトリ回路と前記デバイステレメトリ回路との間の通信によって、前記生理的パラメータに相当する更新値を前記プロセッサから取り出す後続の呼び掛けセッションを計画する外部制御システムと
を備える、埋め込み可能医療デバイスシステム。
【請求項２】
遠隔患者管理データベースと、
通信ネットワークと、
前記通信ネットワークに結合される、前記監視される生理的パラメータに相当する前記外部テレメトリ回路によって受信される情報を、前記遠隔患者管理データベースに転送する外部通信モジュールと
をさらに備える、請求項１に記載の埋め込み可能医療デバイスシステム。
【請求項３】
生理的パラメータを検知するセンサと、
センサに作動可能に結合される、埋め込み可能テレメトリインターフェースと、
前記埋め込み可能テレメトリインターフェースとのテレメトリ接続を実現するように構成される、モニタテレメトリインターフェースを備える外部モニタと、
を備え、
警告レベルが、前記生理的パラメータに基づいて検知され、
非警告レベルが、前記生理的パラメータに基づいて検知され、
前記警告レベルが検知されることに応じて、埋め込み可能医療デバイスの一連の後続の呼び掛けセッションが、複数の所定の時間間隔において発生するように計画され、
非警告レベルが検知されることに応答して、前記一連の後続の呼び掛けセッションの、保留中の後続の呼び掛けセッションの少なくとも１つが、取り消される、
システム。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
不整脈発作を検出するように構成される不整脈検出器と、
該不整脈発作の形態的秩序の評価を判定する手段と、
前記形態的秩序の評価に基づいて不整脈発作を、第１の形態的秩序レベル、第２の形態的秩序レベル、及び第３の形態的秩序レベルを含む複数の形態的秩序レベルの１つに分類する手段と、
該第１の形態的秩序レベル、第２の形態的秩序レベル、及び第３の形態的秩序レベルを対応する個別の第１の心臓治療スキーム、第２の心臓治療スキーム、及び第３の心臓治療スキームに関連付ける手段と、各心臓治療スキームは不整脈を治療するための少なくとも１つの心臓治療コンポーネントを含むことと、
検出された不整脈発作の形態的秩序レベルに関連付けられる選択された心臓治療コンポーネントを搬送する手段と、
を含む、心調律管理装置。
【請求項２】
前記心臓治療スキームの少なくとも１つは第１の心臓治療コンポーネント及び第２の心臓治療コンポーネントを含み、前記心臓治療スキームの別の少なくとも１つは第２の心臓治療コンポーネントを含むが第１の心臓治療コンポーネントを含まない、請求項１に記載の装置。
【請求項３】
前記第２の心臓治療コンポーネントは電気的除細動治療からなり、前記第１の心臓治療コンポーネントは第１の抗頻脈ペーシングＡＴＰ治療からなる、請求項２に記載の装置。
【請求項４】
前記少なくとも１つの心臓治療スキームは、第３の心臓治療コンポーネントを更に含み、同第３の心臓治療コンポーネントは第２の抗頻脈ペーシングＡＴＰ治療からなる、請求項３に記載の装置。
【請求項５】
前記複数の形態的秩序レベルは、前記第１の形態的秩序レベル、第２の形態的秩序レベル、及び第３の形態的秩序レベルとは異なる第４の形態的秩序レベルを更に含み、同第４の形態的秩序レベルは上室性頻脈性不整脈ＳＶＴに対応し、且つ不整脈を治療するための心臓治療コンポーネントとは関連付けられていない、請求項１に記載の装置。
【手続補正２】
【補正対象書類名】明細書
【補正対象項目名】発明の名称
【補正方法】変更
【補正の内容】
【発明の名称】形態的秩序に基づく不整脈の自動多段階治療のための心調律管理装置
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
レスピレータであって：
（ａ）濾材の層を含むマスク本体；及び
（ｂ）マスクが着用されるときその着用者の鼻梁を覆って伸びるように前記マスク本体上に配置されるノーズクリップであって、前記ノーズクリップが、第１及び第２翼部分を含む弾力性のある前もって画定された形状を有しかつ前記レスピレータが着用されるとき前記着用者の鼻の各側面に力を加え、前記力が少なくとも前記第１及び第２翼部分のところで前記着用者の鼻の方に内側に向かって加えられるノーズクリップを含み、さらに、前記弾力性により、前記形状は、力が適用されたときに曲がることができ、次いで力が取り去られたときにその元の形状に回復することができる、レスピレータ。
【請求項２】
前記ノーズクリップが、１〜１５ＧＰａの弾性率を有する一体成形されたポリマー材料を含み、かつ機械的試験手順に記載されたように、前記ノーズクリップに適用された１Ｎ以下の荷重が、３０％のひずみを生じる、請求項１に記載のレスピレータ。
【請求項３】
レスピレータを製造する方法であって、該方法が：
（ａ）マスク本体及びポリマーのノーズクリップを提供すること；
（ｂ）ノーズクリップを前記マスク本体上に、マスクが着用されるときに前記ノーズクリップが着用者の鼻梁を覆って伸びるように設置すること；及び
（ｃ）前記ノーズクリップに、半剛性の弾力性のある性質を有する前もって画定された形状を提供することを含む方法。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
吸入型薬剤の一回のボーラス量またはサブボーラス量を保持するための少なくとも１つの薬剤格納システムを備えたスティックを含むデバイス。
【請求項２】
前記薬剤格納システムの中に入った一単位用量の吸入型乾燥粉末をさらに備えた請求項１に記載のデバイス。
【請求項３】
前記薬剤格納システムが、前記スティックから取り外すことができる実質的に剛性の容器本体を備えており、前記少なくとも１つのスティックが、使用後に前記容器本体を保持する保持セグメントを備え、前記乾燥粉末の一単位用量の視覚的および／または触覚的な表示を、前記スティック上にさらに備えた請求項１に記載のデバイス。
【請求項４】
前記乾燥粉末がインスリンを含む請求項２に記載のデバイス。
【請求項５】
吸入型薬物のための医薬品用キットであって、このキットが、複数のスティックを備えており、各々のスティックが、１つ又は複数の単位用量の少なくとも１つの吸入型薬剤を保持しているキット。
【請求項６】
前記複数のスティックが、少なくとも１つの分離可能な束として、結合している請求項５に記載のキット。
【請求項７】
前記少なくとも１つの分離可能な束が、前記スティック間に位置する優先的に配置されたミシン目を有し、及び／又は、この分離可能な束が、使用者が１つのスティックを他のスティックから取り外しあるいは取り除くことが可能な接着剤を備えた請求項６に記載のキット。
【請求項８】
前記スティックが、可撓性の支持体の上において、束として、接着して結合している請求項５に記載のキット。
【請求項９】
スティックによって吸入型乾燥粉末の一単位用量が異なり、任意に前記キットが、複数のスティックの束を複数備えており、異なる束は、同一種類の吸入型乾燥粉末の異なる一単位用量となるようにグループ分けされている請求項５に記載のキット。
【請求項１０】
薬剤格納システムを備えたスティックを受け取ることができる吸入器であって、前記吸入器が、前記薬剤格納システムを前記スティックから分離し、前記薬剤格納システムの中に保持された薬剤を解放し、前記薬剤格納システムを前記スティックの上の異なる位置に再配置し、任意に前記薬剤が吸入型乾燥粉末である吸入器。
【請求項１１】
薬剤容器を準備するステップと、
前記薬剤容器に吸入型薬剤を充填するステップと、
前記薬剤容器をスティックへ取り付けるステップと
を含み、更に、
前記取り付けステップの前に、前記薬剤容器の中に吸入型薬剤を密封するステップと、
前記取り付けステップの後に、前記薬剤容器の中に吸入型薬剤を密封するステップと、
前記スティックを、吸入器の中に収容して前記吸入型薬剤を放出するステップとからなる群から選ばれた少なくとも１つのステップを含み、
任意に前記充填ステップが、複数の単位用量の乾燥粉末を導入することを含み、任意に前記乾燥粉末が、１０ｍｇ未満の単位用量である薬剤格納システムの充填方法。
【請求項１２】
乾燥粉末吸入器を操作する方法であって、
一単位用量の乾燥粉末が収容された容器を備えたスティックを、吸入器の中へ挿入するステップと、
前記スティックに設けられた前記容器を開けて、前記乾燥粉末を前記吸入器の中へ解放するステップと
を含み、さらに任意に、前記開けた容器を、前記スティックから取り外すステップと、
この取り外した容器を、前記スティックに再び取り付けるステップと
を含む方法。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
聴覚保護装置であって、
第１のイヤーカップと、
第２のイヤーカップと、
ヘッドピースであって、該ヘッドピースから延びる第１端部と、ヘッドピースから延びる第２端部とを備えるヘッドピースとを備え、
第１のイヤーカップが、第１端部と第１のイヤーカップとの間の摩擦係合によって第１端部の固定位置で維持され、
第２のイヤーカップが、第２端部と第２のイヤーカップとの間の摩擦係合によって第２端部の固定位置で維持される、聴覚保護装置。
【請求項２】
上記端部が、それぞれ、Ｃ形状のフック、Ｊ形状のフック、及びＵ形状のフックの少なくとも１つを規定する、請求項１に記載の聴覚保護装置。
【請求項３】
上記端部が、それぞれ、複数の側壁によって規定されたフックを備える、請求項１に記載の聴覚保護装置。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
聴覚保護装置であって、
第１末端部と第２末端部とを有するヘッドピースと、
該ヘッドピースに固定された第１イヤーマフであって、露出した多孔性材料を含む遠位外面及び近位外面を有し多孔性材料を含む第１イヤーカップを含む第１イヤーマフと、
前記第１末端部が、少なくとも部分的に位置決めされている第１チャネルと、
該ヘッドピースに固定された第２イヤーマフであって、露出した多孔性材料を含む遠位外面及び近位外面を有し多孔性材料を含む第２イヤーカップを含む第２イヤーマフと、
前記第２末端部が、少なくとも部分的に位置決めされている第２チャネルと、を含む聴覚保護装置。
【請求項２】
前記第１イヤーカップの前記近位外面に固定された第１クッションと、
前記第２イヤーカップの前記近位外面に固定された第２クッションとを更に含む、請求項１に記載の聴覚保護装置。
【請求項３】
前記第１及び第２イヤーカップの前記多孔性材料が発泡体を含み、
少なくとも一方のイヤーマフの前記イヤーカップ及びクッションが、単一の一体型構造体である、請求項１に記載の装置。
【請求項４】
少なくとも部分的に未反応の第１発泡体組成物を含む発泡クッションを、少なくとも部分的に未反応の第２発泡体組成物を含む発泡イヤーカップと接触させるステップと、
該第１及び第２発泡体組成物の連続重合により、該発泡クッションを該発泡イヤーカップに固着するのに十分な期間にわたって該発泡クッションと該発泡イヤーカップを互いに接触して維持するステップとを含む、イヤーマフを作製する方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
自己拡張性腔内デバイス用展開システムであって、
少なくとも１つの管腔を有するカテーテルと；
前記腔内デバイスを導入外形に拘束する、前記腔内デバイスの少なくとも一部を取り囲むように適合させた、引き込み可能なシースと；
作動時に、展開ラインの引き込みと一緒に前記デバイスから前記シースが引き込まれるように、前記シースと一緒に引いてデバイスを展開するように構成された、展開ラインと；
前記展開ラインの長さの大部分を包みかつ展開ラインを移動可能にする、展開ライン管腔と
を含み、前記展開ライン管腔が、展開ライン作動中に、前記展開ラインに対する前記カテーテルの回転を防止するように構成されている、自己拡張性腔内デバイス用展開システム。
【請求項２】
前記展開ラインが、他の個別の部品を引くように構成されている、請求項１に記載の展開システム。
【請求項３】
前記展開ラインが、１つの単独部品として、前記シースと一緒に引かれるように構成されている、請求項１に記載の展開システム。
【請求項４】
前記１つの単独部品が少なくとも２つの別個の部分を有する、請求項３に記載の展開システム。
【請求項５】
長さの大部分とは、前記展開ラインの長さの９０％である、請求項１に記載の展開システム。
【請求項６】
長さの大部分とは、前記展開ラインの長さの９５％である、請求項１に記載の展開システム。
【請求項７】
長さの大部分とは、前記展開ラインの長さの９９％である、請求項１に記載の展開システム。
【請求項８】
前記回転が３６０度未満の動きである、請求項１に記載の展開システム。
【請求項９】
前記回転が１８０度未満の動きである、請求項１に記載の展開システム。
【請求項１０】
前記回転が９０度未満の動きである、請求項１に記載の展開システム。
【請求項１１】
前記シースが連続フィルムである、請求項１に記載の展開システム。
【請求項１２】
前記展開ライン管腔が、前記カテーテルの長手方向の開口部に挿入されている、請求項１に記載の展開システム。
【請求項１３】
前記長手方向の開口部によって、前記シースが引き込まれるときに、前記展開ラインと前記シースとの接合部が前記カテーテルの長さに沿って移動可能である、請求項１２に記載の展開システム。
【請求項１４】
前記カテーテルが、展開中に完全に変化しないままの、前記カテーテルの近位端における外径を有する、請求項１に記載の展開システム。
【請求項１５】
前記カテーテルの長手方向の開口部を覆って配置された同軸カバーをさらに含む、請求項２又は３のいずれかに記載の展開システム。
【請求項１６】
前記同軸カバーが、密度が１．５ｇ／ｃｃを超える壁を含む、請求項１に記載の展開システム。
【請求項１７】
前記シースが、前記腔内デバイスの少なくとも一部を取り囲む連続フィルムを含む、請求項１に記載の展開システム。
【請求項１８】
前記シースの少なくとも一部が半透明である、請求項１７に記載の展開システム。
【請求項１９】
単独のカテーテルシャフトをさらに含む、請求項１に記載の展開システム。
【請求項２０】
前記自己拡張性腔内デバイスから引き込まれるシースの長さが、前記自己拡張性腔内デバイスの展開中に移動させる展開ラインの長さと実質的に等しい、請求項１に記載の展開システム。
【請求項２１】
少なくとも１つの管腔を有するカテーテルシャフトと；
前記カテーテルシャフトを少なくとも部分的に取り囲む、引き込み可能なシースと；
展開ラインに対する前記カテーテルシャフトの回転を防止するように、前記引き込み可能なシースと一緒に引かれるように構成された、展開ラインと
を含む、自己拡張性腔内デバイス用展開システム。
【請求項２２】
前記展開ラインに対する前記カテーテルシャフトの回転が３６０度未満である、請求項２１に記載の展開システム。
【請求項２３】
前記展開ラインに対する前記カテーテルシャフトの回転が１８０度未満である、請求項２１に記載の展開システム。
【請求項２４】
前記展開ラインに対する前記カテーテルシャフトの回転が９０度未満である、請求項２１に記載の展開システム。
【請求項２５】
前記カテーテル上に、除去可能な前記シースから前記展開ラインへの変換を開始するための手段をさらに含む、請求項１に記載の自己拡張性腔内デバイス用展開システム。
【請求項２６】
前記引き込み可能なシースが、除去可能な前記シースから前記展開ラインへの変換を開始するための手段によって分裂する、請求項２２に記載の自己拡張性デバイス用展開システム。
【請求項２７】
前記展開ラインが金属である、請求項１又は２１のいずれかに記載の展開システム。
【請求項２８】
前記展開ラインがポリマー材料を含む、請求項１又は２１のいずれかに記載の展開システム。
【請求項２９】
前記ポリマー材料がポリテトラフルオロエチレンである、請求項２８に記載の展開システム。
【請求項３０】
前記シースがポリマー材料で作られている、請求項１又は２１のいずれかの記載の展開システム。
【請求項３１】
前記ポリマー材料がポリテトラフルオロエチレンを含む、請求項３０に記載の展開システム。
【請求項３２】
前記シースがチューブ形状である、請求項１又は２５のいずれかに記載の自己拡張性腔内デバイス用展開システム。
【請求項３３】
前記シースの少なくとも第１の部分が、前記自己拡張性腔内デバイスの少なくとも一部を実質的に取り囲み、前記シースの第２の部分が前記第１の部分を実質的に覆う、請求項１又は２１のいずれかに記載の自己拡張性腔内デバイス用展開システム。
【請求項３４】
前記展開ラインが、除去可能な前記シースの第２の部分と一緒に引かれるように構成されている、請求項３３に記載の自己拡張性腔内デバイス用展開システム。
【請求項３５】
前記シースがカテーテルシャフトに取り付けられていない、請求項１又は２１のいずれかに記載の展開システム。
【請求項３６】
前記シースの密度が２．０を超える、請求項１又は２１のいずれかに記載の展開システム。
【請求項３７】
導入外形に腔内デバイスを拘束するように、前記腔内デバイスの長さの少なくとも一部を完全に取り囲むチューブ状シースに適合させた高密度シート膜を含む、引き込み可能なシース。
【請求項３８】
前記高密度膜が延伸ＰＴＦＥである、請求項３７に記載の引き込み可能なシース。
【請求項３９】
前記延伸ＰＴＦＥの密度が２．１ｇ／ｃｃを超える、請求項３８に記載の引き込み可能なシース。
【請求項４０】
前記延伸ＰＴＦＥの密度が２．０ｇ／ｃｃを超える、請求項３８に記載の引き込み可能なシース。
【請求項４１】
前記延伸ＰＴＦＥの密度が１．５ｇ／ｃｃを超える、請求項３８に記載の引き込み可能なシース。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
ディスプレイを合成する方法であって、
対話式メディア環境（１２５０）で動作する複数のアプリケーションのそれぞれについてＺ順序を維持するステップであって、前記Ｚ順序が、前記ディスプレイ上の視覚的要素についての相対的順序を記述するステップと、
アプリケーションに関連するそれぞれのグラフィックスバッファ（１５２８）に前記アプリケーションをレンダリングするステップであって、前記レンダリングが、フォーカスを有するアプリケーションで始まるアプリケーションによって実施され、最高のＺ順序から最低のＺ順序（１３６２）まで、前記複数のアプリケーション中の残りのアプリケーションで続行されるステップと、
前記グラフィックスバッファ内の視覚的要素から前記ディスプレイを合成するステップであって、前記合成が、アプリケーションによって最低のＺ順序から最高のＺ順序まで（１３５２）実施されるステップと
を含む方法。
【請求項２】
初期Ｚ順序がプレイリスト（２９０）で設定される請求項１に記載の方法。
【請求項３】
前記レンダリングが、レンダリングした要素が表示のために合成される前に２重バッファリングされるように、２重バッファリング構成を使用するステップを含む請求項１に記載の方法。
【請求項４】
前記対話式メディア環境が複数のディスプレイ平面（９００）を含み、前記アプリケーションが、前記複数のディスプレイ平面（９００）中のグラフィックス平面（９１２）にレンダリングされるように割り当てられる請求項１に記載の方法。
【請求項５】
前記対話式メディア環境が、複数のディスプレイ平面（９００）を含み、前記アプリケーションが、前記複数のディスプレイ平面（９００）内のサブピクチャ平面（９１８）にレンダリングされるように割り当てられる請求項１に記載の方法。
【請求項６】
それぞれのグラフィックスバッファが、すべてのアプリケーションからの視覚的要素がレンダリングされる単一グラフィックスバッファとして維持される請求項１に記載の方法。
【請求項７】
ディスプレイと接続するためのプレイバックシステムであって、
対話式メディア環境内で動作するアプリケーションについてのＺ順序を維持するナビゲーションマネージャ（１５０５）であって、前記Ｚ順序が、前記ディスプレイ上の視覚的要素についての相対的順序を記述するナビゲーションマネージャ（１５０５）と、
前記アプリケーションによって生成された視覚的要素をバッファリングする１つまたは複数のグラフィックスバッファ（１５２８）と、
前記ナビゲーションマネージャと動作可能に結合され、アプリケーションによる視覚的要素を逆Ｚ順序で前記グラフィックスバッファにレンダリングするプレゼンテーションエンジン（１５１５）と、
前記１つまたは複数のグラフィックスバッファから前記ディスプレイに関するフレームイメージを合成するグラフィックスレンダリングエンジン（１５１８）であって、前記合成が、アプリケーションによってＺ順序で実施されるグラフィックスレンダリングエンジン（１５１８）と
を備えるプレイバックシステム。
【請求項８】
前記合成が、クリア開口要素をマークアップ中に有するアプリケーションよりも低いＺ順序を有するすべてのアプリケーションのグラフィックスバッファ内に開口を開け、それによって前記開口を通じてビデオ平面（９２５）を見ることができるステップを含む請求項７に記載のプレイバックシステム。
【請求項９】
前記開口が、複数の形状のうちの１つから選択される形状を有し、前記形状が、矩形、円形、卵型、および任意の形状を含む請求項８に記載のプレイバックシステム。
【請求項１０】
合成フレームイメージが、ビデオフレームごとのアプリケーションフレームを含む請求項７に記載のプレイバックシステム。
【請求項１１】
新しいアプリケーションフレームが利用不能である場合、前記アプリケーションフレームが、最も新しく利用可能となったアプリケーションフレームである請求項１０に記載のプレイバックシステム。
【請求項１２】
電子装置内の１つまたは複数のプロセッサで実行されたとき、複数のＮ個のアプリケーションについての描画順序を設定する方法を実施するためのコンピュータで実行可能な命令コードを記録したコンピュータ読み取り可能なストレージであって、前記複数のアプリケーションの中の各アプリケーションが、ディスプレイ上の視覚的要素としてレンダリング可能であり、前記方法が、
アプリケーションが前記ディスプレイ（１４１５）上のアプリケーションのＺ順序を操作する１つまたは複数の方法を起動することを可能にするステップであって、前記Ｚ順序が、前記ディスプレイ上のＮ個のアプリケーションについての相対的順序を記述し、Ｚ順序の値が、０およびＮ−１によって束縛される組から選択されるステップと、
前記アプリケーション（１４１８）を前記アプリケーションに関連するそれぞれのグラフィックスバッファにレンダリングするステップであって、前記レンダリングが、Ｎ−１で開始し、０で終了する逆Ｚ順序でアプリケーションによって実施されるステップと、
グラフィックスバッファからディスプレイが合成され、該合成がアプリケーションによりＺ順序で合成されるステップと、
を含む方法である、コンピュータで読み取り可能なストレージ。
【請求項１３】
前記レンダリングが、イベントキュー（５１５）に挿入される１つまたは複数の作業項目（５３５）を使用して実施される請求項１２に記載のコンピュータで読み取り可能なストレージ。
【請求項１４】
アプリケーションのＺ順序が変化したとき、前記アプリケーションに通知（１４１６）を供給するステップをさらに含む方法である請求項１２に記載のコンピュータで読み取り可能なストレージ。
【請求項１５】
前記レンダリングが、アプリケーションのマークアップ内のキャンバスオブジェクトに描画することを含む請求項１２に記載のコンピュータで読み取り可能なストレージ。
【請求項１６】
前記キャンバスオブジェクトが、アプリケーションのそれぞれのグラフィックスバッファにレンダリングされる請求項１５に記載のコンピュータで読み取り可能なストレージ。
【請求項１７】
ペインタのアルゴリズムを使用して最新のバッファから前記ディスプレイ（１４２５）を合成するステップをさらに含む方法である請求項１２に記載のコンピュータで読み取り可能なストレージ。
【請求項１８】
起動する前記方法が、アプリケーションを最高のＺ順序に移動するステップを含む方法である請求項１２に記載のコンピュータで読み取り可能なストレージ。
【請求項１９】
起動する前記方法が、アプリケーションを最低のＺ順序に移動するステップを含む方法である請求項１２に記載のコンピュータで読み取り可能なストレージ。
【請求項２０】
起動する前記方法が、移動するアプリケーションよりも１つ高いＺ順序を有するアプリケーションのすぐ上の位置にアプリケーションを移動するステップを含む方法である請求項１２に記載のコンピュータで読み取り可能なストレージ。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
多重の群の可変な焦点距離のレンズであって、
可変なパワーのレンズ素子を含む第一のレンズ群、該第一のレンズ群が、光軸に沿って静止の様式で位置決めされること；及び
該光軸に沿って可動に位置決めされた第二のレンズ群
：を含む、レンズ。
【請求項２】
多重の群の可変な焦点距離のレンズであって、
光軸に沿って固定された位置に位置させられたレンズ群、該レンズ群が、可変なパワーのレンズ素子を有する電気的に制御可能な液体レンズを含むこと、該可変なパワーのレンズ素子が、明瞭な屈折率を有する二つの液体によって作り出された可変な曲率半径を有する表面を含むこと
：を含む、レンズにおいて、
該液体の一方は、１．６０よりも大きい屈折率を有する、レンズ。
【請求項３】
液体レンズであって、
第一の表面；
及び第二の表面；並びに
第一の液体と第二の液体との間の界面が、可変な曲率半径を有する表面を形成するように、該第一の表面と該第二の表面との間に位置させられた第一の液体及び第二の液体
：を含む、レンズにおいて、
該第一の液体及び該第二の液体の少なくとも一方は、ナノスケールの粒子を含む、レンズ。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
画面位置に対応するラスタ化画素データを選択するステップと、
複数のレイ・トレース画素データに含まれる、前記画面位置に対応する第１のレイ・トレース画素データを取り出すステップと、
前記第１のレイ・トレース画素データを前記ラスタ化画素データと比較するステップと、
前記比較に基づいて前記第１のレイ・トレース画素データを前記ラスタ化画素データに置き換えるステップと、
残りの前記複数のレイ・トレース画素データと前記ラスタ化画素データとを使用して画像を生成するステップと
を含む方法。
【請求項２】
前記比較するステップは、
前記第１のレイ・トレース画素データに含まれるレイ・トレース画素深さ値を取り出すステップと、
前記ラスタ化画素データに含まれるラスタ化画素深さ値を取り出すステップと、
前記レイ・トレース画素深さ値を基準にした前記ラスタ化画素深さ値によって前記ラスタ化画素データが前記画面位置における前記レイ・トレース画素データの前面に配置されるか否かを判断するステップと
をさらに含む、請求項１に記載の方法。
【請求項３】
前記置き換えるステップは、
深さバッファ内にある前記レイ・トレース画素深さ値を前記ラスタ化画素深さ値で上書きするステップと、
前記第１のレイ・トレース画素データに含まれるレイ・トレース画素色値を前記ラスタ化画素データに含まれるラスタ化画素色値で上書きするステップと
をさらに含む、請求項２に記載の方法。
【請求項４】
高品質画像レンダリング・オブジェクトに対応するモデル・データを取り出すステップと、
前記モデル・データからレイ・トレース・データをレンダリングするために、レンダリング・アルゴリズムを使用するステップと、
前記レイ・トレース・データを前記複数のレイ・トレース画素データにまでセグメント化するステップと
をさらに含む、請求項２に記載の方法。
【請求項５】
ポリゴンをレンダリングするためにラスタライザを使用するステップと、
前記ポリゴンを複数のラスタ化画素データにまでセグメント化するステップであって、前記ラスタ化画素データは前記複数のラスタ化画素データに含まれる、ステップと
をさらに含む、請求項１ないし４のいずれかに記載の方法。
【請求項６】
前記複数のレイ・トレース画素データは、レイ・キャスティング・アルゴリズムとレイ・トレーシング・アルゴリズムとから成るグループから選択されたレンダリング・アルゴリズムを使用して生成される、請求項１ないし５のいずれかに記載の方法。
【請求項７】
複数の異種プロセッサと共有メモリと共有バスとを含むブロードバンド・プロセッサ・アーキテクチャを使用して実行され、
前記複数の異種プロセッサは、異なる命令セットを使用し、前記共有メモリと前記共有バスとを共用する、
請求項１ないし６のいずれかに記載の方法。
【請求項８】
コードを有するコンピュータ動作可能媒体に含まれた、コンピュータ可読のコンピュータ・プログラムであって、
画面位置に対応するラスタ化画素データを選択するステップと、
複数のレイ・トレース画素データに含まれる、前記画面位置に対応する第１のレイ・トレース画素データを取り出すステップと、
前記第１のレイ・トレース画素データを前記ラスタ化画素データと比較するステップと、
前記比較に基づいて前記第１のレイ・トレース画素データを前記ラスタ化画素データに置き換えるステップと、
残りの前記複数のレイ・トレース画素データと前記ラスタ化画素データとを使用して画像を生成するステップと
を前記コンピュータに実行させるためのコンピュータ・プログラム。
【請求項９】
１つまたは複数のプロセッサと、
前記プロセッサがアクセス可能なメモリと、
前記プロセッサがアクセス可能な１つまたは複数の不揮発性記憶装置と、
リンクされたデータ構造をトラバースする画像生成ツールと
を含み、前記画像生成ツールは、
画面位置に対応するラスタ化画素データを選択し、
前記不揮発性記憶装置のうちの１つから、複数のレイ・トレース画素データに含まれる、前記画面位置に対応する第１のレイ・トレース画素データを取り出し、
前記第１のレイ・トレース画素データを前記ラスタ化画素データと比較し、
前記比較に基づいて、前記不揮発性記憶装置のうちの１つの記憶装置内の前記第１のレイ・トレース画素データを前記ラスタ化画素データに置き換え、
残りの前記複数のレイ・トレース画素データと前記ラスタ化画素データとを使用して表示装置上に画像を生成する
効果を有する、情報処理システム。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
サンプル中の複数の異なるターゲットを検出する方法であって、
ａ）少なくとも第一の検出基質および第二の検出基質と、少なくとも一つの対照基質とを含む検出システムを選択するステップであって、
各検出基質および対照基質は、それらと結合する少なくとも一つの識別子を持ち、該識別子は各検出基質および対照基質それぞれについて検出可能なシグナルを生成することができ、
各検出基質および対照基質についての該検出可能なシグナルは異なり、
該第一の検出基質は、該サンプル中の第一の選択されたターゲットをとらえるように適合され、該第二の検出基質は、該サンプル中の第二の選択されたターゲットをとらえるように適合され、該第一の選択されたターゲットと、第二の選択されたターゲットとは異なる、ステップと、
ｂ）該検出基質および該対照基質に検出可能なシグナルを生成させ、該生成された検出可能なシグナルの強度を決定するステップと、
ｃ）各検出基質についての相対比率を生成するために、該検出基質から該対照基質までの検出可能なシグナルの比率を確認するステップと、
ｄ）ターゲットをとらえるために、該サンプルと、該第一の検出基質および第二の検出基質とを接触させるステップと、
ｅ）ステップ（ｄ）の後、該検出基質および該対照基質に、第一の検出可能なシグナルおよび第二の検出可能なシグナルを生成させ、該生成された検出可能なシグナルの強度を決定するステップと、
ｆ）ステップ（ｅ）からの該対照基質の該生成された検出可能なシグナルの該決定された強度と、ステップ（ｃ）からの各検出基質に対する該相対比率に基づいて、該検出基質の各セットの予測される検出可能なシグナル強度を確認するステップと、
ｇ）ステップ（ｅ）の該生成された検出可能なシグナルのうちの少なくとも一部を、該検出基質のそれぞれのセットと関連付けるために、ステップ（ｅ）からの該検出基質の該決定された強度を、ステップ（ｆ）からの該予測された検出可能なシグナル強度と比較するステップと
を含む、方法。
【請求項２】
ステップ（ｄ）は、前記サンプルを、前記セットのいずれの一部でもない、関連付けられていない基質と接触させるステップを含み、ステップ（ｅ）において生成される前記検出可能なシグナルの一部は、該関連付けられていない基質からであり、前記比較するステップ（ｇ）は、該関連付けられていない基質から生成されるものとしてシグナルを識別するステップを含む、請求項１に記載の方法。
【請求項３】
ステップ（ｄ）は、前記サンプルと前記対照基質を接触させるステップを含む、請求項１に記載の方法。
【請求項４】
前記対照基質は前記検出基質のそれぞれとは異なる、請求項１に記載の方法。
【請求項５】
少なくとも一つの検出基質または少なくとも一つの対照基質は、それらと結合する少なくとも二つの識別子を有し、各識別子は異なる、請求項１に記載の方法。
【請求項６】
各検出基質および対照基質は、それらと結合する第一の識別子および第二の識別子を有し、該第一の識別子および該第二の識別子は、各検出基質および対照基質それぞれについての第一の検出可能なシグナルおよび第二の検出可能なシグナルのセットを生成可能であり、該第一の検出可能なシグナルと該第二の検出可能なシグナルとは異なり、各検出基質および対照基質からの該第一の検出可能なシグナルと、該第二の検出可能なシグナルのセットとの強度は互いに異なる、請求項５に記載の方法。
【請求項７】
サンプル中の複数の異なるターゲットを分析するためのキットであって、
ａ）少なくとも第一の検出基質および第二の検出基質と、少なくとも一つの対照基質とを含む検出システムであって、
各検出基質および対照基質は、それらと結合する少なくとも一つの識別子を有し、該識別子は各検出基質および対照基質のそれぞれに対して検出可能なシグナルを生成可能であり、
各検出基質に対する該検出可能なシグナルは異なり、
該第一の検出基質は該サンプル中の第一の選択されたターゲットをとらえるように適合され、該第二の検出基質は該サンプル中の第二の選択されたターゲットをとらえるように適合され、該第一の選択されたターゲットと第二の選択されたターゲットとは異なる、検出システムと、
ｂ）該検出基質の各セットに対する、予測される検出可能なシグナル強度を、該対照基質からの該検出可能なシグナルの決定された強度に基づいて計算するためのデータを提供する媒体と
を含む、キット。
【請求項８】
前記対照基質は前記検出基質のうちの一つと同じである、請求項７に記載のキット。
【請求項９】
前記対照基質は前記検出基質のそれぞれと異なる、請求項７に記載のキット。
【請求項１０】
前記対照基質は、前記サンプル中に存在するいかなるターゲットをとらえる能力も実質的に有さない、請求項９に記載のキット。
【請求項１１】
各検出基質および対照基質は、それらと結合する第一の識別子および第二の識別子を有し、該第一の識別子および該第二の識別子は、各検出基質および対照基質それぞれに対する第一の検出可能なシグナルおよび第二の検出可能なシグナルのセットを生成することができ、該第一の検出可能なシグナルと該第二の検出可能なシグナルとは異なり、各検出基質および対照基質からの第一の検出可能なシグナルと第二の検出可能なシグナルのセットとの強度は互いに異なる、請求項７に記載のキット。
【請求項１２】
前記基質はビーズであり、前記対照基質の直径は、前記検出基質より少なくとも１０％大きいか、または少なくとも１０％小さい、請求項１または７に記載の発明。